【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
電子デバイス間で、少なくとも１つのネットワークを介して通信リンクを提供する通信システムにおいて、通信サービスを利用する支払プロバイダを選択する方法であって、
（ａ）発呼側電子デバイスにおいて、複数の代替支払プロバイダを特定するデータを提供するステップと、
（ｂ）前記発呼側電子デバイスが、着呼側電子デバイスとの通信リンクの要求を開始するステップと、
（ｃ）前記発呼側電子デバイスが、前記複数の代替支払プロバイダを識別するデータを、前記通信リンクを介して前記ネットワークに通信するステップと、
（ｄ）前記ネットワークが、前記複数の代替支払プロバイダのうちの、前記通信リンクと関連付けられた支払要求の承諾を要求する第１のプロバイダと、連絡をとるステップと、
（ｅ）前記第１のプロバイダが前記支払要求の責任を取ることを拒否したとき、前記ネットワークが、前記発呼側電子デバイスのユーザとさらにインタフェースせずに、前記複数の代替支払プロバイダのうちの第２の支払プロバイダと連絡をとるステップと
を備えたことを特徴とする方法。
【請求項２】
請求項１において、前記発呼側電子デバイスにＳＩＭ（subscribing identity module）カードを提供し、かつステップ（ａ）で提供された前記データを前記ＳＩＭカードに入力するステップをさらに備えたことを特徴とする方法。
【請求項３】
請求項２において、前記ＳＩＭカードは、前記発呼側電子デバイスに対してリムーバブルであることを特徴とする方法。
【請求項４】
請求項２において、ＳＩＭカードに入力された前記データは、前記発呼側電子デバイスの別のストレージデバイスに転送されることを特徴とする方法。
【請求項５】
請求項１において、前記発呼側電子デバイスは、ワイヤレスセルフォンと、ＰＤＡ（personal digital assistant）と、ＰＣ（personal computer）と、ファクシミリ装置と、自走式ビークル（self propelled vehicle）と、を含む、グループを構成する複数のデバイスのうちの１つであることを特徴とする方法。
【請求項６】
請求項１において、前記ネットワークは、前記発呼側電子デバイスのホームネットワークである第１のＰＬＭＮ（public land mobile network）と、ローミングモードにおいて、前記発呼側電子デバイスによってビジット（visit）される第２のＰＬＭＮと、を含み、
ステップ（ｃ）は、前記第２のＰＬＭＮが、前記複数の代替支払プロバイダを識別する前記データを前記発呼側電子デバイスから受信するステップであって、前記第１のＰＬＭＮが、前記複数の代替支払プロバイダのうちの選択された１つの代替支払プロバイダに転送するため、前記第２のＰＬＭＮが、前記受信したデータを前記第１のＰＬＭＮに転送するステップをさらに備えた
ことを特徴とする方法。
【請求項７】
請求項１において、前記ネットワークは、前記発呼側電子デバイスにサービスを提供するホームＰＬＭＮを備え、
前記複数の代替支払プロバイダを識別する前記データは、前記発呼側電子デバイスのストレージデバイスに格納される
ことを特徴とする方法。
【請求項８】
請求項７において、前記発呼側電子デバイスは、ワイヤレスモバイルセルフォンであり、前記ストレージデバイスは、ＳＩＭカードであり、前記複数の代替支払プロバイダを識別する前記データは、前記ＳＩＭカードに格納され、前記ＳＩＭカードは、前記モバイルセルフォンに対してリムーバブルであることを特徴とする方法。
【請求項９】
請求項１において、前記複数の代替支払プロバイダの１つは、前記発呼側電子デバイスに対してクレジットカードサービスを提供し、
前記支払要求を承諾すると、前記ネットワークに許可を与え、
前記ネットワークは、前記許可を受けると、前記発呼側電子デバイスによって要求された通信リンクを提供する
ことを特徴とする方法。
【請求項１０】
請求項１において、前記複数の代替支払プロバイダの１つは、前記発呼側電子デバイスのユーザに対してデビットカードサービスを提供し、
前記支払要求を承諾したとき、前記ネットワークに許可を与え、
前記ネットワークは、前記許可を受けると、前記発呼側電子デバイスによって要求された通信リンクを提供する
ことを特徴とする方法。
【請求項１１】
請求項１において、前記複数の代替支払プロバイダのうちの好ましい支払プロバイダは、前記発呼側電子デバイスに対してテレホンカードサービスを提供し、
前記支払要求を承諾すると、前記ネットワークに許可を与え、
前記ネットワークは、前記許可を受けると、前記発呼側電子デバイスによって要求された通信リンクを提供する
ことを特徴とする方法。
【請求項１２】
請求項１において、前記複数の代替支払プロバイダの１つは、前記発呼側電子デバイスのユーザに対してプリペイド式テレホンカードサービスを提供し、
前記支払要求を承諾すると、前記ネットワークに許可を与え、
前記ネットワークは、前記許可を受けると、前記発呼側電子デバイスによって要求された通信リンクを提供する
ことを特徴とする方法。
【請求項１３】
請求項１において、前記複数の代替支払プロバイダのうちの前記支払要求の責任を承諾する代替支払プロバイダに加えて、前記通信リンクに、許可を与えるように、前記ネットワークが、前記発呼側電子デバイスのユーザに要求する旨の、加入者許可データを格納するステップをさらに備え、かつ、前記ネットワークが、前記加入者許可データの受信に応答して許可を与えるように前記ユーザに要求するステップをさらに備え、
前記ユーザが、前記許可の要求に応答して、信号を、前記発呼側電子デバイスを介して、前記ネットワークに伝送するステップと
をさらに備えたことを特徴とする方法。
【請求項１４】
請求項１３において、前記ネットワークは、前記ユーザにより伝送された信号であって、支払許可を拒否したことを示す信号を受信すると、前記通信リンクを終了することを特徴とする方法。
【請求項１５】
請求項１３において、前記ネットワークは、前記ユーザにより伝送された信号であって、支払許可を拒否したことを示す信号を受信すると、前記通信リンクを正常終了することを特徴とする方法。
【請求項１６】
請求項１において、前記ネットワークは、前記ユーザからの要求を受け取ったことに応答して、通信リンク確立のコストを計算し、この計算されたコストを前記第１の代替支払プロバイダに搬送することを特徴とする方法。
【請求項１７】
請求項１６において、前記計算するステップは、前記通信リンクのコストに影響を与える要因を考慮に入れるステップを備えたことを特徴とする方法。
【請求項１８】
請求項１７において、前記計算するステップは、ＴＯＢ（time of day）、曜日、伝送される情報の性質、発呼側電子デバイスと着呼側電子デバイスの間の距離とを決定するステップを含むことを特徴とする方法。
【請求項１９】
請求項１において、前記ネットワークは、前記ユーザによって指定された前記複数の代替支払プロバイダによりチャージされたコストを検査し、最もコスト効率の高い代替支払プロバイダを特定するステップをさらに備えたことを特徴とする方法。
【請求項２０】
請求項１９において、前記ネットワークは、前記最もコスト効率が高い代替支払プロバイダに連絡をとって許可を要求するステップをさらに備えたことを特徴とする方法。
【請求項２１】
通信サービスを利用する支払プロバイダを選択する通信システムであって、
少なくとも１つのネットワークと、
複数の代替支払プロバイダを識別するデータが提供される発呼側電子デバイスであって、着呼側電子デバイスとの通信リンクの要求を開始し、前記複数の代替支払プロバイダを識別する前記データを、前記ネットワークに前記通信リンクを介して通信する発呼側電子デバイスと、
を備え、
前記ネットワークは、前記複数の代替支払プロバイダのうち、前記通信リンクと関連付けられた支払要求の受け入れを要求する第１の代替支払プロバイダと連絡をとり、
前記ネットワークは、前記第１の代替支払プロバイダが前記支払い要求の責任を承諾することを拒否すると、前記発呼側加入者とさらにインタフェースせずに、前記複数の代替支払プロバイダのうちの第２の代替支払プロバイダに連絡をとる
ことを特徴とするシステム。
【請求項２２】
請求項２１において、前記提供されたデータは、前記発呼側電子デバイスに対してリムーバブルなＳＩＭカードに格納されることを特徴とするシステム。
【請求項２３】
請求項２１において、前記発呼側電子デバイスは、ワイヤレスセルフォンと、ＰＤＡと、ＰＣと、ファクシミリ装置と、自走式ビークル（self propelled vehicle）と、を含む、グループを構成する複数のデバイスのうちの１つであることを特徴とするシステム。
【請求項２４】
請求項２１において、前記ネットワークは、発呼側電子デバイスのホームネットワークである第１のＰＬＭＮと、ローミングモードにおいて前記発呼側電子デバイスによりビジット（visit）される第２のＰＬＭＮと、を含み、
前記第２のＰＬＭＮは、前記複数の代替支払プロバイダを識別する前記データを、前記発呼側電子デバイスから受信して前記第１のＰＬＭＮに転送し、
前記第１のＰＬＭＮは、前記データを、前記複数の代替支払プロバイダのうちの選択された１つの代替支払プロバイダに転送する
ことを特徴とするシステム。
【請求項２５】
請求項２１において、前記ネットワークは、前記発呼側電子デバイスにサービスを提供するホームＰＬＭＮを備え、
前記複数の代替支払プロバイダを識別する前記データは、前記発呼側電子デバイスのストレージデバイスに格納される
ことを特徴とするシステム。
【請求項２６】
請求項２５において、前記発呼側電子デバイスは、ワイヤレスモバイルセルフォンであり、
前記ストレージデバイスは、ＳＩＭカードであり、
前記複数の代替支払プロバイダを識別する前記データは、前記ＳＩＭカードに格納され、
前記ＳＩＭカードは、前記モバイルセルフォンに対してリムーバブルである
ことを特徴とするシステム。
【請求項２７】
請求項２１において、前記複数の代替支払プロバイダの１つは、前記発呼側電子デバイスに対してクレジットカードサービスを提供し、前記ネットワークからの支払要求を承諾すると、前記ネットワークに許可を与え、
前記ネットワークは、前記許可を受け取ると、前記発呼側電子デバイスによって要求された前記通信リンクを提供する
ことを特徴とするシステム。
【請求項２８】
請求項２１において、前記複数の代替支払プロバイダの１つは、前記発呼側電子デバイスに対してデビットカードサービスを提供し、前記ネットワークから前記許可を受け取ると、前記発呼側電子デバイスにより要求された通信リンクを提供することを特徴とするシステム。
【請求項２９】
請求項２１において、前記複数の代替支払プロバイダのうちの１つの好ましい代替支払プロバイダは、前記発呼側電子デバイスに対してテレホンカードサービスを提供し、前記ネットワークからの支払要求を承諾すると、許可を、前記ネットワークに提供し、
前記ネットワークは、前記許可を受け取ると、前記発呼側電子デバイスによって要求された前記通信リンクを提供する
ことを特徴とするシステム。
【請求項３０】
請求項２１において、前記複数の代替支払プロバイダの１つは、プリペイド式テレホンカードサービスを前記発呼側電子デバイスに提供し、前記ネットワークからの支払要求を承諾すると、許可を、前記ネットワークに与え、
前記ネットワークは、前記許可を受け取ると、前記発呼側電子デバイスによって要求された前記通信リンクを提供する
ことを特徴とするシステム。
【請求項３１】
請求項２１において、前記複数の代替支払プロバイダを識別する情報は、前記複数の代替支払プロバイダのうちの前記支払要求の責任を取る代替支払プロバイダに加えて、前記通信リンクを、許可するように、前記ネットワークが前記発呼側電子デバイスに要求する旨の加入者許可データを、さらに含み、
前記ユーザは、前記許可要求に応答して、信号を、前記発呼側電子デバイスを介して、前記ネットワークに伝送する
ことを特徴とするシステム。
【請求項３２】
請求項３１において、前記ネットワークは、前記ユーザにより伝送された信号であって、支払い許可を拒絶する旨を表す信号を受信すると、前記通信リンクを終了させることを特徴とするシステム。
【請求項３３】
請求項３１において、前記ネットワークは、前記ユーザにより伝送された信号であって、前記ユーザが支払いを許可した旨を表す信号を受信すると、前記通信リンクを正常終了させることを特徴とするシステム。
【請求項３４】
請求項３１において、前記ネットワークは、前記ユーザからの要求を受け取るとこれに応答して、通信リンク確立のコストを計算し、かつ、この計算されたコストを前記第１の代替支払プロバイダに搬送することを特徴とするシステム。
【請求項３５】
請求項３４において、前記計算されたコストは、前記通信リンクのコストに影響を与える要因を考慮することを特徴とするシステム。
【請求項３６】
請求項３４において、前記計算されたコストは、ＴＯＤ（time of day）と、曜日と、伝送される情報の性質と、発呼側と着呼側の間の距離と、に基づき決定されることを特徴とするシステム。
【請求項３７】
請求項２１において、前記ネットワークは、前記発呼側電子デバイスにおいて識別された前記複数の代替支払プロバイダによってチャージされるコストを検査し、前記複数の代替支払プロバイダうちの最もコスト効率の高い代替支払プロバイダに、前記支払い要求を承諾するように要求することを特徴とするシステム。
【請求項３８】
複数の電子デバイス間で少なくとも１つのネットワークを介して通信リンクを提供する通信システムにおいて通信サービスを利用する代替支払プロバイダを選択する方法であって、
（ａ）発呼側電子デバイスにおいて、複数の代替支払プロバイダを識別するデータを提供するステップと、
（ｂ）前記発呼側デバイスが、着呼側電子デバイスとの通信リンクの要求を開始するステップと、
（ｃ）前記発呼側デバイスが、前記複数の代替支払プロバイダを識別するデータを、前記ネットワークに、前記通信リンクを介して、通信するステップと、
（ｄ）前記ネットワークが、前記複数の代替支払プロバイダのうちどの代替支払プロバイダが最もコスト効率が高いか決定するステップと、
（ｅ）前記ネットワークが、支払の許可を要求するため、前記最もコスト効率が高い代替支払プロバイダに連絡をとるステップと
を備えたことを特徴とする方法。
【請求項３９】
請求項３８において、ステップ（ｄ）は、報奨プログラムに基づいてコスト効率を判定するステップを備えたことを特徴とする方法。
【請求項４０】
請求項３８において、ステップ（ｄ）は、前記複数の代替支払プロバイダのコストを評価し、併せて報奨プログラムに基づいてコスト効率を識別するステップを備えたことを特徴とする方法。
【請求項４１】
通信サービスを利用する支払プロバイダを選択する通信システムであって、
少なくとも１つのネットワークと、
前記複数の代替支払プロバイダを識別するデータを有する発呼側電子デバイスと、
を備え、
前記発呼側デバイスは、着呼側電子デバイスとの通信リンクの要求を開始し、前記複数の代替支払プロバイダを識別するデータを、前記ネットワークに、前記通信リンクを介して通信し、
前記ネットワークは、前記通信リンクと関連付けられた支払要求の責任を受け入れるように、最もコスト効率の高い代替支払プロバイダに要求する前記複数の代替支払プロバイダによって、チャージされるコストを検査する
ことを特徴とする通信システム。
【請求項４２】
請求項４１において、前記ネットワークは、前記複数の代替支払プロバイダによって提供される報奨プログラムを、前記複数の代替支払プロバイダによってチャージされる前記コストと併せて評価することを特徴とする通信システム。